(57)【要約】      （修正有）【課題】消費電力を低減させる照明具取付用反射シートおよび省電力化天井用照明具を提供する。【解決手段】照明具取付用反射シート１は、可視光の拡散反射率が９０％以上であるシート様素材１１の裏面にマグネットシート１２を貼着し、照明具１０の反射板５表面ないしシェード内面に着脱可能に構成した。また、省電力化天井用照明具１０は、蛍光管２を平行に複数本差し込ませるとともに電力を供給する通電部４と、反射板５ないしシェードと、を含み、照明具取付用反射シート１を反射板５ないしシェードに貼り付け、蛍光管２の少なくとも一本を蛍光管と同型同色のダミー管３へ差し替えたことを特徴とする。【選択図】図３
0003156208.tif 000002
【実用新案登録請求の範囲】
【請求項１】
可視光の拡散反射率が９０％以上であるシート様素材の裏面にマグネットシートを貼着し、照明具の反射板表面ないしシェード内面に着脱可能に構成したことを特徴とする照明具取付用反射シート。
【請求項２】
蛍光管を平行に複数本差し込ませるとともに電力を供給する通電部と、反射板ないしシェードと、を含む天井用照明具において、
請求項１に記載の照明具取付用反射シートを反射板ないしシェードに貼り付け、
前記蛍光管の少なくとも一本を当該蛍光管と同型同色のダミー管へ差し替えたことを特徴とする省電力化天井用照明具。
【請求項３】
表面にシート様素材と同一の素材によるコーティングが施されたダミー管を用いたことを特徴とする請求項２に記載の省電力化天井用照明具。
【請求項４】
請求項１に記載の照明具取付用反射シートを、照明具の反射板表面ないしシェード内面に、当該表面ないし内面からはみ出す大きさにして貼り付け、はみ出し部分も利用して反射面積を拡大し、照明方向の照度を向上させることを特徴とした照明構造。
【考案の詳細な説明】
【技術分野】
【０００１】
本考案は、既存の照明具をそのまま利用して、照度を向上させる反射シートおよび省電力化照明具に関する。
【背景技術】
【０００２】
従来、天井照明の一例として図５（ａ）に示したように、蛍光管と反射板とから構成されるものが知られている。反射板は、蛍光管から天井側へむかう光を室内側へ反射させる。このため反射板表面には、白色系の塗料が塗られ、光を反射させて床面側（室内側）の照度を向上させている。
【０００３】
図５（ａ）の例は、蛍光管が天井から突き出た構成であるが、他の例として、図５（ｂ）のように、蛍光管が天井に埋設されている例も同様であり、白色系の反射板により床面側の照度を向上させるようにしている。図５（ｂ）の例の場合は、図５（ａ）の場合に比して、蛍光管の直下の照度がより向上する。
【０００４】
この他、図５（ｃ）に示すように、曲率のついたシェードが用いられる場合も同様であり、シェードの形状により、所定範囲の照度を更に向上させる天井照明も知られている。
【０００５】
しかしながら、従来の技術では以下の問題点があった。従来の天井照明は、単に部屋や特定範囲を明るくすることに主眼がおかれ、近年の省エネルギー意識の高まりを反映したものではない。すなわち、せいぜい蛍光管それ自体の消費電力を低減することのみに着目しているだけで、一旦照射された光をより効率的に利用して部屋全体の明るさを維持するアプローチはほとんどされていない。
【０００６】
また、省エネ技術一般にいえることであるが、従来のものをすげ替える必要があり、導入に際し買い換え等が要求され、省エネの根底にある、利用できるものの利用、という考えや、総合的なエネルギー消費の抑制、という考えに反するという問題点があった。
【先行技術文献】
【特許文献】
【０００７】
【特許文献１】特開２００７−２６１５８４号公報
【考案の概要】
【考案が解決しようとする課題】
【０００８】
すなわち、解決しようとする問題点は、既存の照明具を利用して消費電力を低減させるようにすることを目的とする。
【課題を解決するための手段】
【０００９】
請求項１に記載の照明具取付用反射シートは、可視光の拡散反射率が９０％以上であるシート様素材の裏面にマグネットシートを貼着し、照明具の反射板表面ないしシェード内面に着脱可能に構成したことを特徴とする。
【００１０】
すなわち、請求項１にかかる考案は、既存の照明具に作業性よくとりつけ、簡便に照度を向上させることが可能となる（もしくは照度を維持したまま電力量を低減することが可能となる）。拡散反射率が９０％以上である素材として、押し固めた硫酸バリウムやマグネシウムをいぶしてつけた酸化マグネシウムを挙げることができる。
【００１１】
なお、反射板もシェードも天井方向への光の向きを室内側（照明方向）へ配向するものであれば、特にその名称は限定されない。また、マグネットシートはシート様素材の裏面全面を覆う態様に限らず、部分的にあてがわれたものである態様も含まれるものとする。この構成とすれば、請求項４に記載するように、はみ出し分を折り曲げ照明方向の照度を向上させることもできる。
【００１２】
請求項２に記載の省電力化天井用照明具は、蛍光管を平行に複数本差し込ませるとともに電力を供給する通電部と、反射板ないしシェードと、を含む天井用照明具において、請求項１に記載の照明具取付用反射シートを反射板ないしシェードに貼り付け、前記蛍光管の少なくとも一本を当該蛍光管と同型同色のダミー管と差し替えたことを特徴とする。
【００１３】
すなわち、請求項２にかかる考案は、反射効率を簡便に向上して照度を上げつつ、消費電力を飛躍的に低減させ、外観も損なわない照明具を提供する。なお、照明具の配電方式にもよるが、ダミー管は、他の管（蛍光管）の通電性に影響を与えないものであるものとする。ダミー管の本数は、二本の蛍光管を用いる照明具である場合は、その内一本を、三本の蛍光管を用いる照明具である場合は、真ん中の一本もしくは両側の二本を差し替えるようにする。
【００１４】
請求項３に記載の省電力化天井用照明具は、請求項２に記載の省電力化天井用照明具において、表面にシート様素材と同一の素材によるコーティングが施されたダミー管を用いたことを特徴とする。
【００１５】
すなわち、請求項３にかかる考案は、照明効率を維持向上する。もしくは照度を維持したまま電力量を低減する。
【００１６】
請求項４に記載の照明構造は、請求項１に記載の照明具取付用反射シートを、照明具の反射板表面ないしシェード内面に、当該表面ないし内面からはみ出す大きさにして貼り付け、はみ出し部分も利用して反射面積を拡大し、照明方向の照度を向上させることを特徴とする。
【００１７】
すなわち、請求項４にかかる考案は、反射効率をより高め、照明方向の照度を向上させることができる。なお、はみ出し部分は自由に変形できるので、適宜折り曲げるなどして反射効率をより高めるようにしても良い。
【考案の効果】
【００１８】
本考案によれば、既存の照明具を利用して消費電力を低減させることが可能となる。
【図面の簡単な説明】
【００１９】
【図１】本考案の照明具取付用反射シートの外観構成を示した図である。
【図２】本考案の照明具取付用反射シートの拡散反射の様子を示した概念図である。
【図３】本考案の省電力化天井用照明具の説明図である。
【図４】本稿案の照明具取付用反射シートを照明具に取付けた他の構成例を示した図である。
【図５】従来の天井照明の例を示した図である。
【考案を実施するための形態】
【００２０】
以下、本考案の実施の形態を図面を参照しながら詳細に説明する。
図１は、本考案の照明具取付用反射シートの外観構成を示した図である。また、図２は、本考案の照明具取付用反射シートの拡散反射の様子を示した概念図である。図３は、本考案の省電力化天井用照明具の説明図である。なお、図では説明の便宜上適宜縦横比等の縮尺を変えている。
【００２１】
図１に示したように、反射シート１は、可視光の拡散反射率が９０％（拡散反射率０．９）以上であるシート状の反射素材１１で表面が構成され、マグネットシート１２で裏面が構成された２層シートである。この反射シート１は厚みが薄く柔軟であって、とりつける相手先が曲面であってもこれに沿って磁力で接着する。
【００２２】
マグネットシート１２の例としては、オレフィン系樹脂を用いたものであれば特に限定されない。両者は適宜接着剤で貼着する。なお、製法によっては、マグネットシート１２の表面に直接反射素材１１を塗布するようにして形成しても良い。
【００２３】
反射シート１の大きさは特に限定されないが、厚みは０．２０ｍｍ〜２．５ｍｍであることが好ましい。この厚みであると、ハサミやカッターによる切断が容易となり、現場における施工性が向上する。また、この厚みであると、柔軟性が維持され曲面にもしなやかに追従できる。なお、蛍光管が直管の場合、もともと規格で長さが決まっているため、取付面の大きさも略同程度である。従って、若干大きめのプレカット品の反射シート１を作っておき、現場加工の手間を省くようにしても良い。
【００２４】
反射素材１１は、拡散反射率が方向によらず略一定な均等拡散する素材である。鏡面反射の場合には正反射方向にのみ光が反射していくが、反対に、反射素材１１では、図２に示したように法線面と反射光のなす角の余弦に比例した反射強度を有するため、反射方向に依存せず、輝度が見る方向によらず略一定となる。反射素材１１にこのような性状のものを用いることにより、照度のムラが生じず、照明具が一様の明るさとなる。
【００２５】
なお反射率が１に近いほど好ましく、反射素材１１では、拡散反射率が０．９以上のものを用いている。好ましくは拡散反射率が０．９５以上のものである。一般的に、金属の鏡面反射板の反射率が０．８〜０．９であるので、拡散反射率が０．９以上となると高反射であって蛍光管の天井側への照射を効率的に室内側に反射し、０．９程度以上になると、照度が３５％〜５０％向上する。なお、拡散反射率を０．９以上とする素材として、押し固めた硫酸バリウムやマグネシウムをいぶしてつけた酸化マグネシウムなどを採用することができる。
【００２６】
次に、上述した反射シートとダミー管とを用いて、既存の天井照明（３本の蛍光管を用いる３灯蛍光灯）をいわゆる省エネ化・エコ化する考案について説明する。
【００２７】
省電力化天井用照明具１０は、図３に示したように、２本の蛍光管２の間に１本のダミー管３が位置するように通電部４に差し込まれ、反射板５に反射シート１が貼り付けられた構成となっている。
【００２８】
反射シート１は、金属製の反射板５の表面全面に貼り付けられ、蛍光管２（直接光）およびダミー管３（反射光）の天井側にむかう光を室内側に一様に反射させる。
【００２９】
ダミー管３は、蛍光管２と同型同色であって、その表面には、反射素材１１と同様の素材がコーティングされており、図示は省略するが２本の蛍光管２の通電性を妨げないように必要に応じて内部に回路が組まれたものである。ダミー管３の拡散反射率が０．９以上であり、近接した両隣の蛍光管２と上面の反射シート１とから３方の光を反射するため、ダミー管３は、蛍光管２と同様に発光しているように見える。また、ダミー管の回路が蛍光管２の点灯を保証する。
【００３０】
施工に際しては、反射シート１を反射板５と同型に切り取り、反射板５にあてがえば適宜磁力により引っ付く。このとき、仮に粘着シールである場合には、貼り合わせを失敗すると、再度粘着シールの剥ぎ取りをおこなうなど施工性に劣るが、反射シート１は裏面がマグネットシート１２であるので、貼り付けのずれが生じても簡便にずれを補正できる。レンタルオフィスや借家の場合にあっては退去時に原状回復義務があるので、簡便に取り外しもできる反射シート１の利便性は極めて高い。
【００３１】
また、場合によっては、大きめの反射シート１を反射板５に貼り付けた後にカッターでなぞって反射板５の大きさに揃えるようにしても良い。またこの方法は、グロー管用の穴を開ける場合にも有効である。
【００３２】
以上の３灯蛍光灯の場合では、消費電力は２／３となり、そのままでも省エネ化が可能となる。また、反射シート１により実質的に室内を明るくすることができるので、これを逆手に取り、例えば、３灯蛍光灯の両側をダミー管３とし、真ん中に蛍光管２とするようにし、同等の照度を維持しつつ、消費電力を１／３とすることもできる。
【００３３】
また、本考案は、買い換えを必要としないので、それまで用いていた蛍光管はそのまま使用することができる。すなわち、ダミー管を１本用いる場合には、蛍光灯が１本余るので保管しておき、両側の２本の蛍光灯のいずれかが切れたときに差し替えることができる。これは、３灯蛍光灯の寿命を５割延ばすことを意味する。すなわち、本考案によれば、３灯蛍光灯の場合、ダミー管１本を用いるだけであっても、消費電力を２／３に低減するとともに、蛍光灯の寿命を５割延ばすことが可能となるといえる。
【００３４】
同様に、３灯蛍光灯の場合、ダミー管２本を用いれば、消費電力を１／３に低減し、蛍光灯の寿命を３倍に延ばすことが可能となるといえる。
【００３５】
以上の例では３灯蛍光灯について説明したが、これに限らず２灯蛍光灯、４灯蛍光灯などにも適用可能であることは言うまでもない。また、照明具の形状も、図５に示した総ての型に対して適用可能である。
【００３６】
反射シートの張り付け方法は異常に限られず、反射板面積を拡大するようにしても良い。図４は、反射シートを照明具の反射板からはみ出させ、はみ出し部分をツバを返すようにして室内側に配向した例を示した照明構造の説明図である。図示したように、反射シート１は、反射板５からはみ出し、これにより、実質的な反射板面積を拡大することができる。なお、このとき、反射シート１の裏面のマグネットシート１２は、はみ出し部分裏面にはもうけず、反射素材１１により柔軟な変形を実現するようにしている。この構成により、室内側の照度が向上する。
【産業上の利用可能性】
【００３７】
本考案によれば、消費電力量の低減と共に、蛍光灯の寿命を延ばすことが可能となる。なお、反射板に代えてシェードに反射シートを貼り付けることもできる。
【符号の説明】
【００３８】
１        反射シート
１１     反射素材
１２     マグネットシート
２        蛍光管
３        ダミー管
４        通電部
５        反射板
１０     省電力化天井用照明具
【図１】
0003156208.tif 000003
【図２】
0003156208.tif 000004
【図３】
0003156208.tif 000005
【図４】
0003156208.tif 000006
【図５】
0003156208.tif 000007